(57)【特許請求の範囲】
【請求項１】
ベースに立設され前面に上下方向に連続する取り付け溝を有した支柱を備えるスタンドに組み付けられたものであって、
形態の異なる複数種類の消毒液ボトルを載置可能なトレイと、
このトレイに載置された消毒液ボトルの形態の異なる複数種類の操作ヘッドを押圧操作するための押圧体と、
この押圧体よりも下方に配設された足踏みペダルと、
この足踏みペダルに加えられる踏み込み動作を前記押圧体の前記操作ヘッドを押圧する動作に変換する動作変換機構とを具備してなるものであって、
前記動作変換機構が、足踏みペダルの踏み込み動作に応動して上下方向に回動する回動アームを備えたものであり、
前記押圧体が、前記操作ヘッドの頂部を押圧する天壁と、前記操作ヘッドの前後左右のうち少なくとも三方への移動を規制する規制壁とを具備してなり、
これら規制壁の少なくとも１つに前記操作ヘッドから延出するノズルを挿通させるための上下方向に長い開口が設けられており、
前記回動アームが、前記支柱の取り付け溝から前端部側を露出させたものであるとともに、前記トレイが、前記支柱の取り付け溝に上下方向に位置変更可能に取り付けられていることを特徴とする足踏み式消毒液供給装置。
【請求項２】
前記規制壁の少なくとも２つに前記操作ヘッドから延出するノズルを挿通させるための開口がそれぞれ設けられており、前記ノズルを前記開口のいずれかに選択的に挿通させるように構成されている請求項１記載の足踏み式消毒液供給装置。
【請求項３】
前記動作変換機構が、足踏みペダルの踏み込み動作に応動して上下方向に回動する回動アームを備えたものであり、この回動アームの回動端に前記押圧体を首振動作可能に支持させている請求項１または２記載の足踏み式消毒液供給装置。
【請求項４】
前記トレイが、前記消毒液ボトルを載置するためのトレイ本体と、このトレイ本体から一方向に延出する延出部とを備えたものであり、
このトレイの設置位置を水平方向に変更可能に構成している請求項１、２または３記載の足踏み式消毒液供給装置。
【請求項５】
前記トレイの設置位置を高さ方向に変更可能に構成している請求項１、２、３または４記載の足踏み消毒液供給装置。
【請求項６】
前記押圧体のストロークを調整するためのストローク調整手段をさらに備えている請求項１、２、３、４または５記載の足踏み消毒液供給装置。
【請求項７】
前記動作変換機構が、足踏みペダルの踏み込み動作に応動して上下方向に回動する回動アームを備えたものであり、前記ストローク調整手段が、前記回動アームの回動範囲を変更可能に規制する請求項６記載の足踏み消毒液供給装置。
【発明の詳細な説明】
【技術分野】
【０００１】
本発明は、インフルエンザ対策等のためにオフィスや公共施設等の玄関や入口に好適に設置される足踏み式消毒液供給装置に関する。
【背景技術】
【０００２】
近時、インフルエンザ対策等のためにオフィスや公共施設等の玄関や入口その他種々の場所に消毒液ボトルが設置されていることが少なくない。ところが従来は、机等の上に消毒液ボトルを載置しただけのものが多く、その消毒効果に疑問が持たれることがある。すなわち、このような状況においては、不特定多数の人が消毒前の手で消毒液ボトルの操作ヘッドを押圧操作することになるため、操作ヘッドに触れるのを躊躇する人もあり、なんらかの対策が望まれていた。
【０００３】
そのため、足踏み式ペダルを踏み込み操作することによって、消毒液を噴射する方式のものも開発されている（例えば、特許文献１を参照）。ところが特許文献１記載のものは、専用の消毒液ボトルを使用するものであり、消毒液ボトルをこのボトルの形状に合致したボトル入れボックスに差し込んで保持するようになっている。そのため、特定の消毒液ボトルしか使用することができないという不便さがあった。
【０００４】
このような不便さを解消するには、消毒液ボトルをボックスに替えて、複数種類の消毒液ボトルを載置可能なトレイにより保持することが考えられる。しかし、このようにすると、操作ヘッドの押圧操作により消毒液ボトルが倒れたり、位置ずれを起こしたりすることがあるという問題が生じやすい。
【先行技術文献】
【特許文献】
【０００５】
【特許文献１】特開２００８−２２９２９６号公報
【発明の概要】
【発明が解決しようとする課題】
【０００６】
本発明は、前述した足踏み式が抱えている課題を解消し、種々の消毒液ボトルを使用しても消毒液ボトルの転倒等を抑制または防止することができる足踏み式消毒液供給装置を提供することを目的とする。
【課題を解決するための手段】
【０００７】
本発明は、以上のような課題を解決するために、次のような構成を採用したものである。すなわち、本発明に係る足踏み式消毒液供給装置は、ベースに立設され前面に上下方向に連続する取り付け溝を有した支柱を備えるスタンドに組み付けられたものであって、形態の異なる複数種類の消毒液ボトルを載置可能なトレイと、このトレイに載置された消毒液ボトルの形態の異なる複数種類の操作ヘッドを押圧操作するための押圧体と、この押圧体よりも下方に配設された足踏みペダルと、この足踏みペダルに加えられる踏み込み動作を前記押圧体の前記操作ヘッドを押圧する動作に変換する動作変換機構とを具備してなるものであって、前記動作変換機構が、足踏みペダルの踏み込み動作に応動して上下方向に回動する回動アームを備えたものであり、前記押圧体が、前記操作ヘッドの頂部を押圧する天壁と、前記操作ヘッドの前後左右のうち少なくとも三方への移動を規制する規制壁とを具備してなり、これら規制壁の少なくとも１つに前記操作ヘッドから延出するノズルを挿通させるための上下方向に長い開口が設けられており、前記回動アームが、前記支柱の取り付け溝から前端部側を露出させたものであるとともに、前記トレイが、前記支柱の取り付け溝に上下方向に位置変更可能に取り付けられていることを特徴とする。
【０００８】
このようなものであれば、形態の異なる、具体的には形状や大きさの異なる種々の消毒液ボトルを載置することが可能であるため、従来、消毒液ボトルをこのボトルの形状に合致したボトル入れボックスに差し込んで保持するものの場合に生じていたような、特定の消毒液ボトルしか使用することができない、という不便さを解消することができる。さらに、消毒液ボトルがトレイに載置されただけであっても、押圧体が操作ヘッドの前後左右のうち少なくとも三方への移動を規制する規制壁を備えているため、消毒液ボトルの転倒等を好適に抑制または防止することができる。また、規制壁の少なくとも１つに開口が設けられているため、操作ヘッドが規制壁によって囲まれていても、ノズルを外部に表出させることができる。
【０００９】
トレイ上に設置した消毒液ボトルのノズルの突出方向を変更可能なものとするためには、前記規制壁の少なくとも２つに前記操作ヘッドから延出するノズルを挿通させるための開口がそれぞれ設けられており、前記ノズルを前記開口のいずれかに選択的に挿通させるように構成されていればよい。
【００１０】
足踏みペダルの踏み込み動作を操作ヘッドの押圧動作に比較的に簡単に変換するには、前記動作変換機構が、足踏みペダルの踏み込み動作に応動して上下方向に回動する回動アームを備えたものであることが好ましい。また、この回動アームの回動端に前記押圧体を首振動作可能に支持させているものであれば、消毒液ボトルの操作ヘッドに無理な力がかかることを抑制することができる。
【００１１】
前記トレイが、前記消毒液ボトルを載置するためのトレイ本体と、このトレイ本体から一方向に延出する延出部とを備えたものであり、このトレイの設置位置を水平方向に変更可能に構成していれば、使用者の要望に応じてトレイの向きを変更することができる。
【００１２】
また、前記トレイの設置位置を高さ方向に変更可能に構成していれば、消毒液ボトルの高さ寸法に伴ってトレイの高さを調節することができる。
【００１３】
消毒液の噴射量を調整するためには、前記押圧体のストロークを調整するためのストローク調整手段をさらに備えていればよく、このようなものの好適な一例としては、前記動作変換機構が、足踏みペダルの踏み込み動作に応動して上下方向に回動する回動アームを備えたものであり、前記ストローク調整手段が、前記回動アームの回動範囲を変更可能に規制しているものを挙げることができる。
【発明の効果】
【００１４】
本発明は、以上のような構成であるから、足踏み式が抱えている課題を解消し、種々の消毒液ボトルを使用しても消毒液ボトルの転倒等を抑制または防止することができる足踏み式消毒液供給装置を提供することができる。
【図面の簡単な説明】
【００１５】
【図１】本発明の一実施形態を示す全体斜視図。
【図２】図１におけるＸ−Ｘ線中央側断面図。
【図３】消毒液ボトルを正面向きに設置した本発明の要部を示す斜視図。
【図４】図３におけるＹ−Ｙ線断面図。
【図５】消毒液ボトルを右側面向きに設置した本発明の要部を示す斜視図。
【図６】図５におけるＺ−Ｚ線断面図。
【図７】本実施形態の要部を拡大して示す分解斜視図。
【図８】本発明の他の実施形態の要部を拡大して示す中央側断面図。
【発明を実施するための形態】
【００１６】
以下、本発明の一実施形態について述べる。
【００１７】
本実施形態は、図１乃至図７に示すように、本発明をスタンドタイプの足踏み式消毒液供給装置に適用した場合のものであり、セットする消毒液ボトルＢは専用品ではなく、複数種類の市販の消毒液ボトルＢをセット可能に構成されている。
【００１８】
すなわち、この足踏み式消毒液供給装置は、図１乃至図７に示すように、自立性のあるスタンド１に組み付けられたもので、形態の異なる複数種類の消毒液ボトルＢを載置可能なトレイ２と、このトレイ２に載置された消毒液ボトルＢの操作ヘッドＢ２１を押圧操作するための押圧体６と、この押圧体６よりも下方に配設された足踏みペダル７と、この足踏みペダル７に加えられる踏み込み動作を前記押圧体６の前記操作ヘッドＢ２１を押圧する動作に変換する動作変換機構８とを具備してなる。
【００１９】
スタンド１は、図１乃至図３、図５及び図７に示すように、ベース１１と、このベース１１に立設された支柱１２とを具備してなる。
【００２０】
ベース１１は、図１及び図２に示すように、アジャスタ１３１を有した左右対をなすベースパイプ１３と、これらベースパイプ１３同士を剛結するビーム１４と、このビーム１４の中央部から前方に延設したペダル受け金具１５とを具備してなるもので、前記ペダル受け金具１５に前記足踏みペダル７を踏み込み可能に設けている。ペダル受け金具１５は、左右両側縁に起立壁１５１を有した正面視上向きコ字形のもので、ペダル受け金具１５の両起立壁１５１に足踏みペダル７の基端部を軸１５２を介して取り付けている。ペダル受け金具１５には、踏み込み荷重を床面に支持させるための補助アジャスタ１５３が設けてある。
【００２１】
支柱１２は、図１乃至図７に示すように、前面１２１に取り付け溝１２２を有した中空体状のもので、例えば、アルミ押出材等により作られており、前記ベース１１のビーム１４上に立設されている。ビーム１４は下方に開口するチャンネル状をなす部材である。ビーム１４の上壁１４１の前記支柱１２に対応する部位には、リンク挿通孔１４２が形成されている。また、ビーム１４の前壁１４３には、アーム挿通孔１４４が形成されている。
【００２２】
トレイ２は、図１乃至図３、図５及び図７に示すように、前記消毒液ボトルＢを載置するためのトレイ本体２１と、このトレイ本体２１から一方向に延出する延出部２２とを備えたものであり、このトレイ２の設置位置を水平方向及び高さ方向に変更可能に構成している。具体的に説明すれば、このトレイ２は、前記支柱１２に上下方向にスライド可能に装着された棚板３に着脱可能に取り付けられたもので、その取り付け態様を変更することにより、設置位置を水平方向に変えることができるようになっている。
【００２３】
すなわち、前記棚板３は、図１乃至図３、図５及び図７に示すように、平板状のものであり、前後方向及び左右方向に一定間隔をあけて穿設された４つのビス孔３１を備えており、トレイ２の底面２１１には、このビス孔３１に対応する４つのねじ孔２１２が設けてある。そのため、前記ビス孔３１に挿通させたビス３２を前記トレイ２の底面２１１に設けたねじ孔２１２に螺着することにより、トレイ２を棚板３に固定することができるが、トレイ２を水平方向に９０度単位で回転させても、同じ態様で棚板３に取り付けることができるようになっている。棚板３は、棚受金具４とともにロック機構５を介して前記支柱１２の取り付け溝１２２に上下方向に位置変更可能に取り付けられている。
【００２４】
具体的には、棚受金具４は、図１乃至図３、図５及び図７に示すように、棚板３の下方に延出させた左右対をなす鉛直板部４２と、これら鉛直板部４２の後縁部４２１を連結する後板部４３とを具備してなるもので、前記後板部４３は板金素材を折曲げ成形することにより前記棚板３と一体に構成されている。前記後板部４３の背面には、支柱１２を包持する包持部４４が剛結されている。
【００２５】
ロック機構５は、図２及び図７に示すように、前記支柱１２の取り付け溝１２２内に上下方向にスライド可能に収容されたスライドプレート５１と、このスライドプレート５１の前面に突設され前記後板部４３及び包持部４４を貫通するボルト５２と、このボルト５２の突出端に螺着された蝶ナット５３とを具備してなる。すなわち、この蝶ナット５３を締め付けると、前記スライドプレート５１と前記蝶ナット５３とにより前記棚板３を支持する前記棚受金具４の後板部４３と包持部４４と、支柱１２の取り付け溝１２２の前方両側に位置する支柱１２の壁前面１２１とが挟圧され、前記棚板３がその位置に固定される。前記蝶ナット５３をゆるめると、その挟圧状態が解除され、前記棚板３及び棚受金具４の後板部４３と包持部４４とを上下方向に移動することが可能になる。
【００２６】
このようにしてなるトレイ２のトレイ本体２１は、市販の消毒液ボトルＢが載置できるための十分な面積を有している。ここでいう消毒液ボトルＢとは、図１、図３及び図５に示すように、消毒液を貯留するボトル本体Ｂ１と、このボトル本体Ｂ１に装着され最上端に位置する操作ヘッドＢ２１が押圧されることにより前記ボトル本体Ｂ１内の消毒液を前記操作ヘッドＢ２１の周面に突設されたノズルＢ２３から吐出させるためのポンプ部Ｂ２とを備えたものである。
【００２７】
押圧体６は、図１乃至図６に示すように、前記トレイ２上に載置された消毒液ボトルＢの操作ヘッドＢ２１の頂部Ｂ２２を押圧する天壁６１と、前記操作ヘッドＢ２１の前後左右のうち少なくとも三方への移動を規制する規制壁６２、６３、６４、６９とを具備してなる。すなわち、この実施形態の押圧体６は、前記操作ヘッドＢ２１の前方への移動を規制する前の規制壁６２と、前記操作ヘッドＢ２１の左右側方への移動を規制する左右の規制壁６３、６４と、前記操作ヘッドＢ２１の後方への移動を規制する後の規制壁６９とを備えており、これらの規制壁６２、６３、６４、６９を前記天壁６１の縁から下方に延出して設けたものである。
【００２８】
前記前の規制壁６２には、図１乃至図５に示すように、前記操作ヘッドＢ２１から延出するノズルＢ２３を挿通させるための上下に長い長孔状の開口６６が設けられている。また、図１乃至図６に示すように、左右の規制壁６３、６４には、前記操作ヘッドＢ２１から延出するノズルＢ２３を挿通させるための上下に長く、かつ下方に開放された開口６７、６８がそれぞれ設けられている。そして、前記ノズルＢ２３を前記開口６６、６７、６８のいずれかに選択的に挿通させるようになっている。
【００２９】
消毒液ボトルＢを前向きにセットする場合には、図４に二点鎖線で示すように、まず消毒液ボトルＢを後傾させてそのノズルＢ２３を押圧体６の下面側から前の規制壁６２の開口６６に内側から挿入し、徐々にその消毒液ボトルＢを起立させることにより、図４に実線で示すように、トレイ２上にセットすることができる。消毒液ボトルＢを横向きにセットする場合には、図６に示すように、適宜な操作によりノズルＢ２３を押圧体６の左右の規制壁６３、６４の開口６７、６８のいずれかに下方から挿入し、消毒液ボトルＢをトレイ２上に起立させることによりセットが完了する。この際、図５に示すように、トレイ２の延出部２２がノズルＢ２３の方向を向くようにして、トレイ２を棚板３に取り付けるようにしておくのが好ましい。なお、前記天壁６１の上面には、前後方向を向く取り付けブラケット６５が固設されている。
【００３０】
足踏みペダル７は、図１及び図２に示すように、下方に開口する扁平箱形のもので、前記ペダル受け金具１５に被せるようにして配置されており、一端部７１が支軸１５２を介して前記ペダル受け金具１５に軸着されている。そして、他端部７２側を足踏み操作することにより上下方向に回動し得るようになっている。
【００３１】
動作変換機構８は、図２に示すように、足踏みペダル７の踏み込み動作に応動して上下方向に回動する回動アーム８１を備えたものであり、この回動アーム８１の回動端８１１に前記押圧体６を首振動作可能に支持させている。具体的には、前記回動アーム８１は、中間部８１２を前記支柱１２に取り付けたガイド金具１２５に枢支された支軸８１３を介して支柱１２に回動可能に支持させている。この回動アーム８１の一方の回動端８１１には、前記押圧体６の取り付けブラケット６５が連結軸８１４を介して取り付けられている。前記支軸８１３の軸心及び前記連結軸８１４の軸心は、左右水平方向に配向されており、前記押圧体６は、前後方向に首振動作し得るようになっている。動作変換機構８の全体を詳述すれば、次のようである。
【００３２】
すなわち、この動作変換機構８は、図２に示すように、前記押圧体６を保持する回動アーム８１と、足踏みペダル７の踏み込み動作に伴って回動する下部リンク要素８２と、この下部リンク要素８２の動きを前記回動アーム８１に伝達する中間リンク要素８３とを具備してなる。
【００３３】
回動アーム８１は、図２に示すように、前述したように中間部８１２を支軸８１３に枢着されたもので、前端部８１５に押圧体６が保持されている。回動アーム８１の後端部８１６は、支柱１２内に位置しており、この回動アーム８１の後端部８１６と支柱１２のトップカバー１２３との間には、回動アーム８１の前端部８１５側を上方に付勢するための圧縮コイルバネ１２４が介在させてある。
【００３４】
下部リンク要素８２は、図２に示すように、中間部８２１をベース１１のビーム１４に軸８２２を介して回動可能に枢着されたもので、その前端部８２３側は、ビーム１４のアーム挿通孔１４４を通して足踏みペダル７内に延出させてある。そして、下部リンク要素８２の前端部８２３に設けたベアリング８２４を足踏みペダル７の下面に転接させている。下部リンク要素８２の後端部８２５側は、ビーム１４内に位置させてある。
【００３５】
中間リンク要素８３は、図２に示すように、支柱１２の内部に配設されたもので、上端部８３１を前記回動アーム８１の後端部８１６に軸８１７を介して枢着するとともに、下端部８３２を前記下部リンク要素８２の後端部８２５に軸８２６を介して枢着している。
【００３６】
このような構成のものであれば、消毒液ボトルＢの前方に立ち、足踏みペダル７を踏み込むだけで消毒液ボトルＢの操作ヘッドＢ２１が押圧操作され、ノズルＢ２３から消毒液が供給される。すなわち、足踏みペダル７を踏み込み操作すると、下部リンク要素８２の前端部８２３側が押し下げられ、後端部８２５側が上昇する。下部リンク要素８２の後端部８２５側が上昇すると、その上昇動作が中間リンク要素８３を介して回動アーム８１の後端部８１６側に伝達され、この回動アーム８１の後端部８１６側が圧縮コイルバネ１２４の付勢力に抗して上昇し、回動アーム８１の前端部８１５側が下降する。その結果、押圧体６が降下し、消毒液ボトルＢの操作ヘッドＢ２１を押圧操作することになる。したがって、使用者は、直接消毒液ボトルＢの操作ヘッドＢ２１に手を触れることなく、衛生的に手を消毒することができる。
【００３７】
この実施形態では、回動アーム８１の後端部８１６と支柱１２のトップカバー１２３との間に圧縮コイルバネ１２４を介在させているので、必要以上に踏み込み操作を行った場合には、反発力が大きくなる。そのため、消毒液を出し過ぎることを抑制することができる。
【００３８】
なお、消毒液の出し過ぎは、棚板３の高さ位置を微妙に調整して、初期段階における消毒液ボトルＢの操作ヘッドＢ２１と押圧体６の天壁６１とのクリアランスを適正にすることによって達成することもできるが、一般ユーザには必ずしも容易な調整ではない。
【００３９】
そのため、前記押圧体６のストロークを調整するためのストローク調整手段をさらに備えたものにしてもよい。すなわち、図８は、ストローク調整手段の好適な一例を示すものである。この実施形態は、前記回動アーム８１の回動範囲を変更可能に規制するものであり、詳述すれば、前記支柱１２のトップカバー１２３の前端部を支柱１２の前面１２１よりも前方に延出させ、その延出端部１２３ａに螺着した調整ボルト９により回動アーム８１の上動範囲を規制したものである。さらに具体的には、調整ボルト９の頭部９１を回動操作して該調整ボルト９を上下方向に螺合進退させることにより回動アーム８１の回動上限位置を適宜調整することができる。したがって、セットした消毒液ボトルＢの種類に応じて適切な消毒液の吐出量を決定することができる。
【００４０】
以上に述べたように、本実施形態に係る足踏み式消毒液供給装置は、形態の異なる複数種類の消毒液ボトルＢを載置可能なトレイ２と、このトレイ２に載置された消毒液ボトルＢの操作ヘッドＢ２１を押圧操作するための押圧体６と、この押圧体６よりも下方に配設された足踏みペダル７と、この足踏みペダル７に加えられる踏み込み動作を前記押圧体６の前記操作ヘッドＢ２１を押圧する動作に変換する動作変換機構８とを具備してなるものであり、前記押圧体６が、前記操作ヘッドＢ２１の頂部Ｂ２２を押圧する天壁６１と、前記操作ヘッドＢ２１の前後左右への移動を規制する規制壁６２、６３、６４、６９とを具備してなり、これら規制壁６２、６３、６４、６９のうち前の規制壁６２に前記操作ヘッドＢ２１から延出するノズルＢ２３を挿通させるための開口６６が設けられているため、  形状や大きさの異なる種々の消毒液ボトルＢをトレイ２上に載置することが可能であり、特定の消毒液ボトルＢしか使用することができない、という不便さを解消することができる。さらに、消毒液ボトルＢがトレイ２に載置されただけであっても、押圧体６が操作ヘッドＢ２１の前後左右の全方向への移動を規制する規制壁６２、６３、６４、６９を備えているため、消毒液ボトルＢの転倒等を好適に抑制または防止することができる。また、後の規制壁６９以外の三方の規制壁６２、６３、６４にそれぞれに開口６６、６７、６８が設けられているため、操作ヘッドＢ２１が規制壁６２、６３、６４、６９によって囲まれていても、ノズルＢ２３を外部に表出させることができる。
【００４１】
また、開口６６、６７、６８が複数設けられているため、ノズルＢ２３を前方向だけでなく横方向へ延出させてトレイ２上にセットさせることもできる。本実施形態にかかる足踏み式消毒液供給装置は、足踏み動作で消毒液を吐出させるようにしているため、吐出量の加減がわかりにくい。そのため、足踏みペダル７の踏み込み量によっては、使用者側に消毒液が勢いよく飛び出してトレイ２や手では受けきれず、衣服や床面を汚してしまう可能性がある。しかしながら、ノズルＢ２３が左右方向を向くように消毒液ボトルＢを設置することが可能であり、併せてトレイ２の延出部２２も前記ノズルＢ２３の方向に延出するようにセットすれば、勢いよく飛び出した消毒液によって少なくとも使用者の衣服を汚してしまうという問題を解消することができる。
【００４２】
また、トレイ２の設置位置を高さ方向に変更可能に構成しているので、消毒液ボトルＢの高さ寸法に伴ってトレイ２の高さを調節することができ、種々の消毒液ボトルを設置することができる。また、このようにトレイ２の設置位置を高さ方向に調整することで、天壁６１と操作ヘッドＢ２１との間のクリアランスを調節することも可能である。したがって、このような方法でも、押圧体６のストロークを調整することができ、消毒液の噴射量を調整することも可能である。
【００４３】
また、トップカバー１２３の延出端部１２３ａに設けられた調整ボルト９を調整することで押圧体６のストロークを調整するようにすれば、使用者等が比較的操作しやすい位置で簡単に消毒液の噴射量を調整することができる。
【００４４】
なお、本発明は以上に述べた実施形態に限られない。
【００４５】
たとえば、本発明の変形例として、押圧体６の前後左右いずれか一方向の規制壁６２、６３、６４、６９を有しないものであってもよい。また、各規制壁６２、６３、６４に設ける開口６６、６７、６８は、下端が開放されているものであっても、開放されていない長孔状のものであってもよい。
【００４６】
また、この足踏み式消毒液供給装置は、トレイ上に設置されたボトル内の消毒液を供給するものに限られない。たとえば、公衆浴場などに設けられ、不特定多数の人が使用するシャンプーやリンス、ボディソープ等のボトル内の液体を供給する場合にも適用することができる。さらに、このような場合に限られず、様々な液体を供給するための適宜のシチュエーションに適用することが可能である。
【００４７】
その他、本発明の趣旨を損ねない範囲で種々に変更してよい。
【符号の説明】
【００４８】
Ｂ…消毒液ボトル
Ｂ２１…操作ヘッド
Ｂ２２…頂部
Ｂ２３…ノズル
２…トレイ
２１…トレイ本体
２２…延出部
６…押圧体
６１…天壁
６２、６３、６４、６９…規制壁
６６、６７、６８…開口
７…足踏みペダル
８…動作変換機構
８１…回動アーム
８２…回動端
【図１】
0005386730.tif 000002
【図２】
0005386730.tif 000003
【図３】
0005386730.tif 000004
【図４】
0005386730.tif 000005
【図５】
0005386730.tif 000006
【図６】
0005386730.tif 000007
【図７】
0005386730.tif 000008
【図８】
0005386730.tif 000009